(57)【要約】広い部分と， 広い部分に接続された狭い部分であって、該狭い部分は前記広い部分と前記狭い部分との間を仕切る２つの横方向切り欠きを定める生理用パッド。少なくとも２つの折り畳み線は、２つの横方向切り欠きから内方に出て、広い部分から離れて下方にかつ狭い部分の縦方向中央に向けて湾曲する。好ましい実施例において、２つの折り畳み線は、狭い部分の下面に予形成される下方対の折り畳み線と、前記狭い部分の上面に予形成される上方対の折り畳み線とからなる。本発明のパッドは、前記切り欠き間の広い部分を横切って予形成される横断折り畳み線を備えることができる。別の好ましい実施例において、前記狭い部分の側面の上部は、前記狭い部分の側面の下部で重なる。
2004520085.tif 000002
【特許請求の範囲】
【請求項１】
生理用パッドにおいて、
広い部分と；
前記広い部分に接続された狭い部分であって、前記広い部分と前記狭い部分との間を仕切る２つの横方向切り欠きを定める、狭い部分と；そして
前記狭い部分に予形成される少なくとも２つの折り畳み線を有し、前記少なくとも２つの折り畳み線は、前記２つの横方向切り欠きから内方に出て、そして前記広い部分から離れて下方に、かつ前記狭い部分の縦方向中央に向けて湾曲する、生理用パッド。
【請求項２】
前記少なくとも２つの折り畳み線は、前記狭い部分の上面に予形成される、請求項１に記載の生理用パッド。
【請求項３】
前記少なくとも２つの折り畳み線は、前記狭い部分の下面に予形成される、請求項１に記載の生理用パッド。
【請求項４】
前記少なくとも２つの折り畳み線は、下記のリストの方法またはそれらの組み合わせにより予形成される、請求項１に記載の生理用パッド：
所望の折り畳み線の曲線に沿ってパッドを機械的に押圧すること；
それらの構成部分を化学的に結合すること；
熱を印加すること；
レーザー光線を印加すること；
接着剤を適用すること；および
機械的振動を付与すること。
【請求項５】
生理用パッドの厚みの一部は、それら間に結合されて前記少なくとも２つの折り畳み線を創成する、請求項１に記載の生理用パッド。
【請求項６】
厚み全体は、それら間に結合されて前記少なくとも２つの折り畳み線を創成する、請求項１に記載の生理用パッド。
【請求項７】
厚い折り畳みストリップは、前記少なくとも２つの折り畳み線間の前記狭い部分の一部に沿って形成される、請求項１に記載の生理用パッド。
【請求項８】
前記少なくとも２つの折り畳み線は、前記狭い部分の下面に予形成される下方対の折り畳み線と、前記狭い部分の上面に予形成される上方対の折り畳み線とからなる、請求項１に記載の生理用パッド。
【請求項９】
厚い折り畳みストリップは、前記上方対の折り畳み線と前記下方対の折り畳み線との間に予形成される、請求項８に記載の生理用パッド。
【請求項１０】
さらに，前記切り欠き間の前記広い部分を横切って予形成される横断折り畳み線を備える、請求項１に記載の生理用パッド。
【請求項１１】
前記横断折り畳み線は、円弧状畳み線である、請求項１０に記載の生理用パッド。
【請求項１２】
前記円弧状畳み線は、前記広い部分の凸曲線である、請求項１１に記載の生理用パッド。
【請求項１３】
前記横断折り畳み線は、前記パッドの上面に予形成される、請求項１０に記載の生理用パッド。
【請求項１４】
前記パッドの厚みの一部は、それら間に結合されて前記横断折り畳み線を創成する、請求項１０に記載の生理用パッド。
【請求項１５】
厚み全体は、それら間に結合されて前記横断折り畳み線を創成する、請求項１０に記載の生理用パッド。
【請求項１６】
厚い折り畳みストリップは前記横断折り畳み線に沿って形成される、請求項１０に記載の生理用パッド。
【請求項１７】
前記広い部分の輪郭と前記狭い部分の輪郭とは前記切り欠きで収束し、前記広い部分の輪郭は前記切り欠きから横方向に出て、前記広い部分の上部に向けて拡がるように湾曲し、前記狭い部分の輪郭は前記切り欠きから横方向に出て、前記狭い部分の下部に向けて拡がるように湾曲する、請求項１に記載の生理用パッド。
【請求項１８】
前記広い部分と前記狭い部分の輪郭線は前記切り欠きで収束し、前記少なくとも２つの折り畳み線の各々は前記広い部分と前記狭い部分の輪郭線に連続して非断続曲線で前記切り欠きから出る、請求項１に記載の生理用パッド。
【請求項１９】
前記少なくとも２つの折り畳み線は、前記狭い部分の縦方向中央に位置する収束点で収束する、請求項１に記載の生理用パッド。
【請求項２０】
前記少なくとも２つの折り畳み線は、前記狭い部分の少なくとも実質的部分に沿って延長する、請求項１９に記載の生理用パッド。
【請求項２１】
さらに、前記狭い部分と前記広い部分の輪郭縁に沿う安定化結合リムを備える、請求項１に記載の生理用パッド。
【請求項２２】
前記安定化結合は、下記からなるリストから、方法または方法の組み合わせにより得られる、請求項２１に記載の生理用パッド：
機械的に押圧すること；
それらの構成部分を化学的に結合すること；
熱を印加すること；
レーザー光線を印加すること；
接着剤を適用すること；および
機械的振動を付与すること。
【請求項２３】
前記少なくとも２つの折り畳み線は、ダッシュ線である、請求項１に記載の生理用パッド。
【請求項２４】
前記狭い部分の側面の上部は、前記広い部分の側面の下部の下で重なる、請求項１に記載の生理用パッド。
【請求項２５】
吸収層と、伝達層と、バッキング・シートと、剥離シートとを備え、接着層が前記バッキング・シートと剥離シートとの間に差し込まれる、請求項１に記載の生理用パッド。
【請求項２６】
前記吸収層は、流体吸収材から製造される複数個のほぼ平行なラミネートからなる、請求項２５に記載の生理用パッド。
【請求項２７】
前記流体吸収材は、下記の構成材またはそれらの組み合わせからなる、請求項２６に記載の生理用パッド：
プラスチック繊維；
綿繊維；および
木材パルプ繊維。
【請求項２８】
前記伝達層は、前記パッドの上面全体を覆う、請求項２５に記載の生理用パッド。
【請求項２９】
前記伝達層は、前記吸収層よりも実質的に薄い、請求項２５に記載の生理用パッド。
【請求項３０】
前記伝達層は、セルロース材から構成される、請求項２５に記載の生理用パッド。
【請求項３１】
前記接着層は、下着に取り外し可能に付着する接着剤から製造される、請求項２５に記載の生理用パッド。
【請求項３２】
前記接着層の接着剤は、人体にたいし実質的に不活性である、請求項３１に記載の生理用パッド。
【請求項３３】
前記剥離シートは、前記接着層の形態または実体を損傷しないで前記接着層から着脱できる、請求項２５に記載の生理用パッド。
【請求項３４】
前記剥離シートは、箔からなる、請求項３３に記載の生理用パッド。
【請求項３５】
上記にまたは添付図面に記載され、それを参照し、例示されまたは図示された、新規性のいずれかおよびすべての特長を実質的に備える生理用パッド。
【発明の詳細な説明】
【０００１】
【発明の属する技術分野】
本発明は、一般に、女性の月経流体および他の体の分泌液を吸収するように構成された女性の生理用パッドの分野に関し、特に下着に着脱可能な生理用パッドに関する。
【０００２】
【従来の技術】
ナプキン、パンティ・ライナーおよび生理用パッドは、膣内に位置決めする必要なく、外部漏れを防止しながら、月経その他の分泌流体を吸収するように構成された外部保護デバイスである。デバイスを下着、主として下着の股に確保する、接着ストリップを含むデバイスもある。このようなデバイスの種々のデザインが従来技術で実行されている。
【０００３】
たとえば、ブコス（Ｖｕｋｏｓ）他に発行され、“陰唇形生理用パッド”と題する米国特許第５，４８４，４２９号は、流体を吸収し集積するパッドに係る。このパッドは、膣口に嵌合しまたは隣接するようにしたピックアップ・モジュールと、膣口から隔離して位置するようにした容量モジュールとを含む。ピックアップ・モジュールの高さ寸法は容量モジュールの高さ寸法よりも大きい。両モジュールは、流体をピックアップ・モジュールから容量モジュールに運べる縦に配向した吸収剤またはウイッキング繊維を含有する。流動流体は、股が結果的に膨張する、容量モジュールに漸進的に集積する。
【０００４】
スツリノ（Ｓｔｕｒｉｎｏ）に発行され、“パンティ・ライナー”と題する米国特許第５，７１３，８８６号は、特に、狭い股部分を有する下着に使用される、生理用ナプキンまたはパンティ・ライナーに係る。このナプキンは、第一細長部分と第二広い部分とを有する細長吸収体を備える。第二部分の対向側は、第一部分の側面から広がる、それで、第二部分は大体三角形輪郭となる。第一部分は、下着のストラップ部分の周りに部分的に折り畳むことができる１つの横方向フラップを含む。第二部分は、下着の狭い股の周りに部分的に折り畳むことができる１対の横方向フラップを含む。接着ストリップは、下着への付着のためフラップと細長体に固定される。
【０００５】
ダービ（Ｄａｒｂｙ）に発行され、“Ｔバック衣服に使用される形状をなす生理用ナプキン”と題する米国特許第５，６８３，３７３号は、狭い細長股部分をＴバック形状の衣服の境界内に嵌合するように構成された生理用パッドに係る。このパッドの構成は、平面図で全体がＶ形状で、その上端が丸められ、そこから中央部分に縦方向にテーパーされている。そこから、パッドは、Ｔバック形状の衣服の狭い細長股部分の幅以下の実質的に一様な幅を有する細長下端部分で縦方向に狭くなる。
【０００６】
【発明が解決しようとする課題】
本発明の目的は、一般のＴバック形状の衣服の境界内に嵌合するようにされた体の境界に一致する、新規な生理用パッドまたはナプキンまたはパンティ・ライナー、もしくは使用中に変位またはランダムな折れに実質的に耐え、また使用者の体から分泌される流体の漏れを防止するのに有効な、広い股部分を有する、従来の標準サイズの女性の下着パンティを提供することである。
【０００７】
【課題を解決するための手段】
本発明によれば、広い部分と， 広い部分に接続された狭い部分であって、広い部分と前記狭い部分との間を仕切る２つの横方向切り欠きを定める、狭い部分と， そして狭い部分に予形成される少なくとも２つの折り畳み線とを含む生理用パッドを提供する。２つの折り畳み線は、２つの横方向切り欠きから内方に出て、広い部分から離れて下方にかつ狭い部分の縦方向中央に向けて湾曲する。２つの折り畳み線は狭い部分の上面または下面に予形成される。
【０００８】
２つの折り畳み線は、所望の折り畳み線の曲線に沿ってパッドを機械的に押圧すること、それらの構成部分を化学的に結合すること、熱を印加すること、レーザー光線を印加すること、接着剤を適用すること、および機械的振動を付与すること等の方法、またはこれらの方法の組み合わせにより予形成される。
【０００９】
パッドの厚みの一部または厚み全体は、それら間に結合されて２つの折り畳み線を創成する。任意に、厚い折り畳みストリップは、２つの折り畳み線間の狭い部分の一部に沿って形成される。
【００１０】
好ましくは、２つの折り畳み線は、狭い部分の下面に予形成される下方対の折り畳み線と、狭い部分の上面に予形成される上方対の折り畳み線とを含む。任意に、厚い折り畳みストリップは、上方対の折り畳み線と下方対の折り畳み線との間に予形成される
【００１１】
さらに好ましくは、生理用パッドは、さらに、切り欠き間の広い部分に渡って予形成される横断折り畳み線を含む。任意に、横断折り畳み線は、広い部分への凸曲線を特長とする、円弧状畳み線を含む。さらに任意に、横断折り畳み線はパッドの上面に予形成される。さらにまた、任意に、パッドの厚みの一部または厚み全体のいずれかは、それら間に結合されて横断折り畳み線を創成する。或は、厚い折り畳みストリップが横断折り畳み線に沿って形成される。
【００１２】
好ましくは、広い部分の輪郭と狭い部分の輪郭とは切り欠きで収束し、広い部分の輪郭は切り欠きから横方向に出て、広い部分の上部に向けて拡がるように湾曲し、狭い部分の輪郭は切り欠きから横方向に出て、狭い部分の下部に向けて拡がるように湾曲する。さらに好ましくは、広い部分と前記狭い部分の輪郭線は切り欠きで収束し、２つの折り畳み線の各は広い部分と狭い部分の輪郭線に連続して非断続曲線で切り欠きから出る。任意に、２つの折り畳み線は、狭い部分の縦方向中央に位置する収束点で収束する。さらに任意に、２つの折り畳み線は、狭い部分の少なくとも実質的部分に沿って延長する。
【００１３】
好ましくは、生理用パッドは、狭い部分と広い部分の輪郭縁に沿う安定化結合リムを含む。安定化結合は、機械的に押圧すること、それらの構成部分を化学的に結合すること、熱を印加すること、レーザー光線を印加すること、接着剤を適用すること、および機械的振動を付与すること等の方法またはこれら方法の組み合わせにより得られる。任意に、２つの折り畳み線は、ダッシュ線を含む。さらに任意に、狭い部分の側面の上部は、広い部分の側面の下部の下で重なる。
【００１４】
好ましい実施例において、生理用パッドは、吸収層と、伝達層と、バッキング・シートと、剥離シートとを含み、接着層が前記バッキング・シートと剥離シートとの間に差し込まれる。吸収層は、流体吸収材から製造される複数個のほぼ平行なラミネートを含み、この流体吸収材は、プラスチック繊維、綿繊維  または木材パルプ繊維、もしくはそれらの組み合わせを含む。好ましくは、伝達層は、パッドの上面全体を覆い、吸収層よりも実質的に薄く、セルロース材から構成される。さらに好ましくは、接着層は、下着に取り外し可能に付着する接着剤から製造され、人体にたいし実質的に不活性である。剥離シートは、好ましくは、接着層の形態または実体を損傷しないで接着層から着脱できるシートまたは箔から構成される。
【００１５】
【発明の実施の形態】
本発明は、図面に基づいての下記詳細な説明によって十分理解されるであろう。
【００１６】
本発明は、新規な生理用パッド、ナプキンまたはパンティ・ライナー（以下“パッド”という）と、その製造方法とを提供することによって従来技術の欠点を解消する。もっとも広い側面において、使用者が着用する下着につけた後、パッドは、体および外側女性生殖器官に最適に適合するようにされる予め定めた折り畳み線に沿って自発的に折り目をつけまたはひだをつけ、また使用中にずれをほぼ回避するように構成される。それに加えて、パッドの一部はそこから突出し、この突起は、パッドが部分的陰唇形特性を組み入れるように、外陰部の裂け目、すなわち、左右の大陰唇間のスリットに一致している。
【００１７】
つぎに、女性使用者の体に使用されるように展開したときの、従来技術において知られる生理用パッドの横断面図である、図１を参照する。女性生殖器官の左大陰唇を符号１２で示し、その右大陰唇を符号１４で示す。左大腿を符号１１で、右大腿を符号１３で示す。外陰部の裂け目１６は、左大陰唇１２と右大陰唇１４との間に位置する。なお、使用者の体の割合は、明示目的で添付図面では誇張して示している。従来の生理用パッド１８は、下着２０の股部分の内側３０と、大陰唇１２，１４との間に配設される。ここで“股”部分なる用語は以下で、前部三角形股部分ならびに下着の底部の狭い細長ストラップ部分をいう。外陰部の裂け目１６に面する従来の生理用パッド１８の側面を符号２８で示す。従来の生理用パッド１８は下着２０の股部分の内側３０に付着される。下着２０の左弾性部分３２とその右弾性部分３４は、従来、下着２０の股部分を、対応して、大腿１１と１３に隣接して、左大陰唇１２と右大陰唇１４に密接させる。
【００１８】
女性生殖器官からの分泌物を以後、“流体”または“分泌物”なる用語で示すが、このような流体は、月経、子宮血液、尿、疾病から二次的に生ずる流体、粘液等の自然排出物または滲出物を含むものである。流体は外陰部の裂け目１６から分泌され、それぞれ左右の大陰唇１２、１４の表面と従来の生理用パッド１８とにより画成される空間２２に流入する。
【００１９】
つぎに、相当期間使用後における、図１の従来の生理用パッドの横断面図である、図２を参照する。なお、従来の生理用パッド１８は、歩行その他物理的活動中等、大腿１１と１３の運動により、たとえば、それぞれ左または右の大陰唇１２、１４の極右または極左部の方に変位する。このような物理的活動中に、下着２０の股部分は折り目がつけられ、下着２０とともに、股に接着される従来のパッド１８は折り目がつけられる。
【００２０】
パッド１８のこのような変位や折り目は、使用者にかなりの不快感を与える一方、その各部は左または右の大陰唇１２、１４または、大腿１１と１３の感応皮膚を押しつける。加えて、従来のパッド１８の後部２８は裂け目１６から離れ、空隙２４と２６は図２に示すようにさらに広がり、従来のパッド１８の使用時流体の漏れを増大させる。流体の一部は従来の生理用パッド１８により吸収され、残りは、それぞれ左右の大陰唇１２、１４間で、空隙２４，２６から漏れることもあり、従って、図１に示すように、従来の生理用パッド１８は、下着２０の股部分を濡らしたり汚したりする。
【００２１】
なお、従来のパッド１８が最初、それぞれ左右の大陰唇１２、１４の下方でほぼ平坦に位置すると、使用者の胴部の前方に曲がることが理解されるだろう。それで、使用の最初でもランダムな折り目としわが従来のパッド１８に付与され、従来のパッド１８はほぼランダムな仕方で折り目がつきしわになる。使用の後段で、使用者の物理的活動により、従来のパッド１８は外側の女性生殖器官に対し変位し、遂に図２に示すような位置になる。
【００２２】
つぎに、本発明の好ましい実施例に従って構成され作動する、一般に符号５０で示すパッドの略平面図である、図３を参照する。図３のパッドは、使用者の方向から見て示される。パッド５０は、狭い部分５４に接続される広い部分５２を含む。使用中、広い部分５２は、（図示せざる）下方腹部の前方に配設され、狭い部分５４は、性器、肛門および会陰部（それら間の区域）の下に配設される。
【００２３】
折り畳み線６０，６２は狭い部分５４の下面に予形成される。狭い部分５４は、折り畳み線６０，６２の外側区域よりはむしろ、折り畳み線６０，６２上にちょうつがいをつける固有の性癖を組み入れている。狭い部分５４は、折り畳み線６０，６２により、所望の形状に変形する。線６０または６２のカーブはシートが沿って折り畳む“ヒンジ”線として作動する。このような変形は、シートがカーブに垂直な方向に折り曲げられるとカーブに沿って変形する、紙およびボール紙等半剛性シートの性癖に基づいている。折り畳み線に沿って折り畳んだ後、パッドは折り畳み線に垂直な方向の曲がりにたいしより剛性かつ不撓性である。
【００２４】
折り畳み線６０，６２は、所望の折り畳み線のカーブに沿ってパッド５０を機械的に押圧する、その構成要素を化学的に結合する等の方法により、熱、レーザー光線、接着剤を付与することにより、機械的振動を付与することによる等、およびこれら方法の組み合わせにより予形成または創成される。パッド５０の厚みの一部かその厚み全体のいずれかが、折り畳み線を創成するために、それらの間に結合される。以下で図５を参照してさらに説明するように、パッド５０を性器、肛門および会陰部の下に配設し、狭い部分５４を折り曲げると、狭い部分５４は、左右の大陰唇１２，１４の表面により画成される空間２２（図１）を部分的に充填するのに適する形状に変形する。
【００２５】
好ましくは、折り畳み線５６，５８は、同様に、狭い部分５４の上面に予形成される。狭い部分５４の所望変形をさらに容易にするため、折り畳み線６０，６２は、狭い部分５４の下面に形成され、折り畳み線５６，５８は、狭い部分５４の上面に形成される。或は、狭い部分５４の一部は、それぞれ各対の折り畳み線５６，５８または６０，６２に沿って、薄い折り畳み線または厚い折り畳み線ではなく、厚い折り畳み“ストリップ”として形成され得る。さらに別に、狭い部分５４は、それぞれ、折り畳み線５６と６０の間、または折り畳み線５８と６２の間に厚い折り畳み“ストリップ”として形成され得る。
【００２６】
狭い部分５４の所望の変形をさらに容易にするため、横断折り畳み線６９は同様に、広い部分５２と狭い部分５４とが一致する首部７５を横断してパッド５０に形成される。当業者が認識されるように、横断折り畳み線６９と折り畳み線５６，５８（または折り畳み線５６，５８，６０，および６２の組み合わせ）は所望の形状への狭い部分５４の変形を容易にする。横断折り畳み線６９がパッド５０の作動に必要でないのは、横断折り畳み線６９は、折り畳み線５６，５８（または折り畳み線５６，５８，６０，および６２）が設けられると普通生ずる自発的折り畳み線に相当するからである。横断折り畳み線６９は、好ましくは広い部分５２への凸状である、円弧状折り畳み線からなる。横断折り畳み線６９はまた、パッド５０の一部を介し、またはパッド５０の厚み全体を介し、パッド５０の上面または下面に予形成され得、厚い折り畳みストリップを特長とし得る。
【００２７】
広い部分５２と狭い部分５４は切り欠き首部７５で一致する。広い部分５２と狭い部分５４の接続により、２つの横方向切り欠き６１及び６３を画成し、６１と６３は首部７５で広い部分５２と狭い部分５４を分割する。折り畳み線５６，５８（または折り畳み線５６，５８、６０と６２）は、対応して横方向切り欠き６１，６３から内方に出て、狭い部分５４の縦方向中央の方へ、広い部分５２から離れて下方に湾曲する。広い部分５２の側面５１，５３の各輪郭と狭い部分５４の側面６５，６７の各輪郭は首部７５の方に湾曲することにより、輪郭は切り欠き６１，６３で収束する。従って、広い部分５２の側面フラップまたは側面５１，５３と、狭い部分５４の側面６５，６７は、交点または切り欠き６１，６３の首部７５で交差する。広い部分５２の側面５１の輪郭は交点または切り欠き６１で狭い部分５４の側面６５の輪郭とともに収束する。同様に、広い部分５２の側面５３の輪郭は交点または切り欠き６３で狭い部分５４の側面６７の輪郭とともに収束する。従って、広い部分５２の側面５１，５３の対向輪郭は、湾曲して首部７５から広い部分５２の上部の方へ広がり、狭い部分５４の側面６５，６７の対向輪郭は湾曲して首部７５から狭い部分５４の下部の方へ広がる。
【００２８】
このように、広い部分５２の側面フラップまたは側面５１，５３は、狭い部分５４の側面６５，６７の折り曲げまたは折り畳み方向とは異なる方向に折り畳みまたは折り曲げできる。たとえば、広い部分５２の側面５１，５３の上方への折り曲げまたは折り畳みは、なお、下方への狭い部分５４の側面６５，６７，特に、首部７５の幅を超えて（交点６１，６３を超えて）横方向に延長する側面５１．５３．６５と６７の折り曲げまたは折り畳みを許容する。
【００２９】
折り畳み線５６，５８、６０， ６２と６９各々は、側面５１，５３，６５と６７の輪郭線に連続する非断続曲線で交点６１，６３から出る。従って、折り畳み線５６，５８、６０と６２は、狭い部分５２の底部の方へ下方に湾曲する。折り畳み線５６，５８は収束点７４で収束し、折り畳み線６０，６２は収束点７２で収束する。しかし、収束点７２，７４は狭い部分５４の中央に沿うどこにでも位置できることが理解されるだろう。好ましくは、収束点７２，７４は、折り畳み線５６，５８、６０と６２が狭い部分５４のすべて、ほとんど、または一部に沿って延長することを確実にするため、首部７５から離れて位置するように選択され得る。なお、折り畳み線５６，５８が狭い部分５２の下縁の点７４で収束することはパッド５０の作動には必要でないことに言及しておく。折り畳み線５６，５８が点７１，７３等首部７５に近い点で終了しまたは収束しても、パッド５０は同様に作動し得る。さらにまた、なお、本発明は、ＧストリングおよびＴバック形状下着とともに、広い股部分を有する従来の標準サイズの女性下着パンティに適用できる。
【００３０】
さらに、使用のため展開したときの、図３のパッドの略透視図である、図４を参照する。使用者が着用したとき、広い部分５２と狭い部分５４は、それぞれ矢印６４，６６で示す方向に傾いて、一般に、使用者の体の湾曲に嵌合する。折り畳み線６９が上述のように組み込まれていなければ、パッド５０は折り畳み線６９または同様な路に沿って首部７５で折り畳む。折り畳み線５６，５８，６０と６２が狭い部分５４上に既に存在するので、狭い部分５４の形状は平坦面（図３）から曲面（図４）に変化し、一般に使用者の左右の大陰唇および外陰部の裂け目に嵌合する、上曲げ線６８，下方曲げフラップ若しくは側面６５，６７によって特徴づけられる。広い部分５２の形状は、表面の上曲げフラップ若しくは側面５１，５３にわずかに変形して、一般に使用者の下方胴体に嵌合する役目を負う。
【００３１】
さらに、図３に示すパッドの接触線および女性使用者の体の、図３の破線１についての縦断面図である、図５を参照する。狭い部分５４を外側女性生殖器官の下に置くと、曲がり線６８は左右の大陰唇１２，１４の表面により画成された空間２２内に入り込む。左大陰唇１２と右大陰唇１４は外陰部の裂け目８６を形成する。パッド５０の狭い部分５４は、それぞれ左右の大陰唇１２，１４と下着８８の股部分の内側９０との間に置かれる。狭い部分５４の曲がり線６８は裂け目８６に部分的に入り、その入れ子はパッド５０を安定化し、使用者の物理的活動および下着８８の股部分の移動により生じやすいそれぞれ左右の大陰唇１２，１４にたいする変位を防止する。
【００３２】
図１及び図２を参照して上述したように、折り畳み線５６，５８，６０と６２が存在しないと、従来のパッド１８は、それぞれ左右の大陰唇１２，１４の下に実質的に平坦で位置し、使用者の胴体の前方に曲がる。従って、ランダムな折り畳みとしわが、最初の使用時でも、従来のパッド１８に付与されて、従来のパッド１８はランダムな仕方で折り畳み、しわになる。使用者の物理的活動による後の使用段階で、従来のパッド１８は外側女性生殖器官にたいし変位され、遂に図２に示すような位置となる。図２に示すように、空隙２４，２６が形成され、従来のパッド１８からの流体の漏れおよび下着２０の股の汚れが生じやすい。
【００３３】
反対に、パッド５０は、最初の使用時に、裂け目８６（図５）に位置し、パッド５０は、使用者の物理的活動中等、後の使用段階でも、それぞれ左右の大陰唇１２，１４にたいし移動しない。最初にパッド５０が外側女性生殖器官の下に置かれると、広い部分５２（図３）のフラップ若しくは側面５１，５３は、図面の上方の方向に横に曲がりやすく、一方、狭い部分５４のフラップ若しくは側面６５，６７は、図面の下方の方向に横に曲がりやすい。この曲がりは図４により明確に示されている。上記のように、交点６１，６３は曲がりを反対方向にすることができる。なお、交点６１と６３間の距離は、狭い首部７５で、実質的に小さく設計されている。しかし、広い部分５２と狭い部分５４間のシールにたいし妨害を最小にするため、また下着８８（図５）の股部分の汚れを防ぐために、首部７５の幅は最小であることが必要で、首部７５の狭さは限定されるべきである。
【００３４】
つぎに、本発明の他の好ましい実施例に従って、構成され作動する、１００で表すパッドの略平面図である図６を参照する。パッド１００は使用者の方向から見て示されている。パッド１００は広い部分１０２と狭い部分１０４とを含む。パッド１００はさらに、図３について上述した、折り畳み線５６，５８，６０，６２と６９にそれぞれ相当する、折り畳み線１０６，１０８，１１０，１１２と１１４を含む。
【００３５】
それぞれ狭い部分１０４と広い部分１０２の縁部に沿う点線１１６，１１８は、輪郭に沿うパッド１００の安定化結合リムを表す。安定化結合は、輪郭に沿ってパッド１００を機械的に押圧する、構成部分を化学的に接合する等の方法、または熱、レーザー光線、接着剤を付与することにより、または、機械的振動を付与することにより、または、これら方法の組み合わせによって、得られる。
【００３６】
さらに、本発明のさらに他の好ましい実施例に従って、構成され作動する、１５０で表すパッドの略平面図である図７を参照する。折り畳み線１５６，１５８，１６０，１６２と１６４は、図７に示す折り畳み線がダッシ線であり、連続線でないことを除いて、それぞれ折り畳み線５６，５８，６０，６２と６９（図３）と同じ目的を有する。
【００３７】
さらに、図６の破線２についての図６のパッドの横断拡大図である図８を参照する。パッド１００は、吸収層２０２，伝達層２０４，バッキング・シート２１４および剥離シート２０６により構成される。接着層２０８，２０９はバッキング・シート２１４と剥離シート２０６との間に差し込まれる。吸収層２０２（図８）のかなりの圧縮区域１１６，１２０は、型押区域１１６，１２０（図６）に相当する。切り欠き１０６，１０８（図８）はそれぞれ、狭い部分１０４の上面の折り畳み線１０６，１０８（図６）に相当する。同様に、切り欠き２１０（図８）は、狭い部分１０４の下面の方で単線に収束される折り畳み線１１０，１１２（図６）に相当する。
【００３８】
吸収層２０２は流体吸収材から製造される複数個の実質的に平行なラミネートを含む。このような流体吸収材は、プラスチック繊維、綿繊維、木材パルプ繊維等またはそれらの組み合わせを含む。吸収層２０２は、別に、個々の繊維２１２または他のこの技術分野の公知の方法により製造され得る。
【００３９】
折り畳み線１０６，１０８，１１０，１１２と１１４の近くの繊維２１２は、この技術分野の公知の方法により圧縮されて、図３について記載のように、ヒンジ状性癖を、吸収層２０２に、また、上記のように圧縮されない吸収層２０２の他の区域にたいし付与する。
【００４０】
伝達層２０４は、パッド１００（図６）の上面全体を覆う。伝達層２０４は、吸収層２０２より実質的に薄い。伝達層２０４は、流体を吸収層２０２に伝達する、この技術分野で公知のセルロース材等の材料から構成される。
【００４１】
接着層２０８，２０９は、パッド１００（図６）を下着８８の股の内側９０（図５）に接着させる。接着層２０８，２０９は、この技術分野で公知のように、下着に接着する接着剤から製造され、下着を傷めることなく後に下着から引き離し得る。さらにまた、接着層２０８，２０９の接着剤は、人体にたいし実質的に不活性である。
【００４２】
剥離シート２０６（図８）は、パッド１００（図６）が使用されるまで、接着層２０８，２０９を保護する。剥離シート２０６は、接着層２０８，２０９の形態または実体を傷つけないで、接着層２０８，２０９から引き離される。
【００４３】
つぎに、図９，１０を参照する。図９は、本発明の他の好ましい実施例に従って、構成され作動する、符号３００で表すパッドの略平面図である。パッド３００は、使用者の方向から見て示されている。図１０は、図９の破線３についての図９のパッドの横断拡大図である。
【００４４】
パッド３００の狭い部分３０４の側面フラップの側面の上部は、区域３０６，３０８における、パッド３００の広い部分３０２の下部の下に重なる。従って、区域３０６，３０８における重なりは、図５のパッド５０からの流体の漏れおよび下着８８の股の汚れの可能性を減ずるが、なお、狭い部分３０４の曲げ方向と反対の方向への広い部分３０２の曲がりは得られる。
【００４５】
当業者によれば、本発明は、特に以上図示、説明した事項に限定されないと理解される。むしろ、本発明の範囲は、上記の請求の範囲によってのみに明示される。
【図面の簡単な説明】
【図１】
女性の使用者の体に使用するように展開した、従来公知の生理用パッドの横断断面図である。
【図２】
相当期間使用された後の図１の従来の生理用パッドの横断断面図である。
【図３】
本発明の好ましい実施例に従って構成され作動するパッドの略平面図である。
【図４】
使用のため展開した、図３のパッドの略透視図である。
【図５】
図３に示すパッドの接触線および女性使用者の体の、図３の破線１についての横断断面図である。
【図６】
本発明の他の好ましい実施例に従って構成され作動するパッドの略平面図である。
【図７】
本発明のさらに他の好ましい実施例に従って構成され作動するパッドの略平面図である。
【図８】
図６の破線２についての図６のパッドの横断拡大図である。
【図９】
本発明のさらに他の好ましい実施例に従って構成され作動するパッドの略平面図である。
【図１０】
図９の破線３についての図９のパッドの横断拡大図である。
【国際公開パンフレット】
2004520085.tif 000003
2004520085.tif 000004
2004520085.tif 000005
2004520085.tif 000006
2004520085.tif 000007
2004520085.tif 000008
2004520085.tif 000009
2004520085.tif 000010
2004520085.tif 000011
2004520085.tif 000012
2004520085.tif 000013
2004520085.tif 000014
2004520085.tif 000015
2004520085.tif 000016
2004520085.tif 000017
2004520085.tif 000018
2004520085.tif 000019
2004520085.tif 000020
2004520085.tif 000021
2004520085.tif 000022
2004520085.tif 000023
2004520085.tif 000024
2004520085.tif 000025
2004520085.tif 000026
2004520085.tif 000027
2004520085.tif 000028
2004520085.tif 000029
2004520085.tif 000030
2004520085.tif 000031
2004520085.tif 000032
【国際公開パンフレット（コレクトバージョン）】
2004520085.tif 000033
2004520085.tif 000034
【手続補正書】
【提出日】平成13年10月10日(2001.10.10)
【手続補正１】
【補正対象書類名】明細書
【補正対象項目名】特許請求の範囲
【補正方法】変更
【補正の内容】
【特許請求の範囲】
【請求項１】
生理用パッドにおいて、
広い部分と；
前記広い部分に接続された狭い部分であって、前記広い部分と前記狭い部分との間を仕切る２つの横方向切り欠きを定める、狭い部分と；そして
前記狭い部分に予形成される少なくとも２つの折り畳み線を有し、前記少なくとも２つの折り畳み線は、前記２つの横方向切り欠きから内方に出て、そして前記広い部分から離れて下方に、かつ前記狭い部分の縦方向中央に向けて湾曲する、生理用パッド。
【請求項２】
前記少なくとも２つの折り畳み線は、前記狭い部分の上面に予形成される、請求項１に記載の生理用パッド。
【請求項３】
前記少なくとも２つの折り畳み線は、前記狭い部分の下面に予形成される、請求項１に記載の生理用パッド。
【請求項４】
前記少なくとも２つの折り畳み線は、下記のリストの方法またはそれらの組み合わせにより予形成される、請求項１に記載の生理用パッド：
所望の折り畳み線の曲線に沿ってパッドを機械的に押圧すること；
それらの構成部分を化学的に結合すること；
熱を印加すること；
レーザー光線を印加すること；
接着剤を適用すること；および
機械的振動を付与すること。
【請求項５】
生理用パッドの厚みの一部は、それら間に結合されて前記少なくとも２つの折り畳み線を創成する、請求項１に記載の生理用パッド。
【請求項６】
厚み全体は、それら間に結合されて前記少なくとも２つの折り畳み線を創成する、請求項１に記載の生理用パッド。
【請求項７】
厚い折り畳みストリップは、前記少なくとも２つの折り畳み線間の前記狭い部分の一部に沿って形成される、請求項１に記載の生理用パッド。
【請求項８】
前記少なくとも２つの折り畳み線は、前記狭い部分の下面に予形成される下方対の折り畳み線と、前記狭い部分の上面に予形成される上方対の折り畳み線とからなる、請求項１に記載の生理用パッド。
【請求項９】
厚い折り畳みストリップは、前記上方対の折り畳み線と前記下方対の折り畳み線との間に予形成される、請求項８に記載の生理用パッド。
【請求項１０】
さらに，前記切り欠き間の前記広い部分を横切って予形成される横断折り畳み線を備える、請求項１に記載の生理用パッド。
【請求項１１】
前記横断折り畳み線は、円弧状畳み線である、請求項１０に記載の生理用パッド。
【請求項１２】
前記円弧状畳み線は、前記広い部分の凸曲線である、請求項１１に記載の生理用パッド。
【請求項１３】
前記横断折り畳み線は、前記パッドの上面に予形成される、請求項１０に記載の生理用パッド。
【請求項１４】
前記パッドの厚みの一部は、それら間に結合されて前記横断折り畳み線を創成する、請求項１０に記載の生理用パッド。
【請求項１５】
厚み全体は、それら間に結合されて前記横断折り畳み線を創成する、請求項１０に記載の生理用パッド。
【請求項１６】
厚い折り畳みストリップは前記横断折り畳み線に沿って形成される、請求項１０に記載の生理用パッド。
【請求項１７】
前記広い部分の輪郭と前記狭い部分の輪郭とは前記切り欠きで収束し、前記広い部分の輪郭は前記切り欠きから横方向に出て、前記広い部分の上部に向けて拡がるように湾曲し、前記狭い部分の輪郭は前記切り欠きから横方向に出て、前記狭い部分の下部に向けて拡がるように湾曲する、請求項１に記載の生理用パッド。
【請求項１８】
前記広い部分と前記狭い部分の輪郭線は前記切り欠きで収束し、前記少なくとも２つの折り畳み線の各々は前記広い部分と前記狭い部分の輪郭線に連続して非断続曲線で前記切り欠きから出る、請求項１に記載の生理用パッド。
【請求項１９】
前記少なくとも２つの折り畳み線は、前記狭い部分の縦方向中央に位置する収束点で収束する、請求項１に記載の生理用パッド。
【請求項２０】
前記少なくとも２つの折り畳み線は、前記狭い部分の少なくとも実質的部分に沿って延長する、請求項１９に記載の生理用パッド。
【請求項２１】
さらに、前記狭い部分と前記広い部分の輪郭縁に沿う安定化結合リムを備える、請求項１に記載の生理用パッド。
【請求項２２】
前記安定化結合は、下記からなるリストから、方法または方法の組み合わせにより得られる、請求項２１に記載の生理用パッド：
機械的に押圧すること；
それらの構成部分を化学的に結合すること；
熱を印加すること；
レーザー光線を印加すること；
接着剤を適用すること；および
機械的振動を付与すること。
【請求項２３】
前記少なくとも２つの折り畳み線は、ダッシュ線である、請求項１に記載の生理用パッド。
【請求項２４】
前記狭い部分の側面の上部は、前記広い部分の側面の下部の下で重なる、請求項１に記載の生理用パッド。
【請求項２５】
吸収層と、伝達層と、バッキング・シートと、剥離シートとを備え、接着層が前記バッキング・シートと剥離シートとの間に差し込まれる、請求項１に記載の生理用パッド。
【請求項２６】
前記吸収層は、流体吸収材から製造される複数個のほぼ平行なラミネートからなる、請求項２５に記載の生理用パッド。
【請求項２７】
前記流体吸収材は、下記の構成材またはそれらの組み合わせからなる、請求項２６に記載の生理用パッド：
プラスチック繊維；
綿繊維；および
木材パルプ繊維。
【請求項２８】
前記伝達層は、前記パッドの上面全体を覆う、請求項２５に記載の生理用パッド。
【請求項２９】
前記伝達層は、前記吸収層よりも実質的に薄い、請求項２５に記載の生理用パッド。
【請求項３０】
前記伝達層は、セルロース材から構成される、請求項２５に記載の生理用パッド。
【請求項３１】
前記接着層は、下着に取り外し可能に付着する接着剤から製造される、請求項２５に記載の生理用パッド。
【請求項３２】
前記接着層の接着剤は、人体にたいし実質的に不活性である、請求項３１に記載の生理用パッド。
【請求項３３】
前記剥離シートは、前記接着層の形態または実体を損傷しないで前記接着層から着脱できる、請求項２５に記載の生理用パッド。
【請求項３４】
前記剥離シートは、箔からなる、請求項３３に記載の生理用パッド。
【請求項３５】
上記にまたは添付図面に記載され、それを参照し、例示されまたは図示された、新規性のいずれかおよびすべての特長を実質的に備える生理用パッド。
【手続補正２】
【補正対象書類名】明細書
【補正対象項目名】０００６
【補正方法】変更
【補正の内容】
【０００６】
【発明が解決しようとする課題】
本発明の目的は、一般のＴバック形状の衣服の境界内に嵌合するようにされた体の境界に一致する、新規な生理用パッドまたはナプキンまたはパンティ・ライナー、もしくは使用中に変位またはランダムな折れに実質的に耐え、また使用者の体から分泌される流体の漏れを防止するのに有効な、広い股部分を有する、従来の標準サイズの女性の下着パンティを提供することである。


【手続補正３】
【補正対象書類名】明細書
【補正対象項目名】００１７
【補正方法】変更
【補正の内容】
【００１７】
つぎに、女性使用者の体に使用されるように展開したときの、従来技術において知られる生理用パッドの横断面図である、図１を参照する。女性生殖器官の左大陰唇を符号１２で示し、その右大陰唇を符号１４で示す。左大腿を符号１１で、右大腿を符号１３で示す。外陰部の裂け目１６は、左大陰唇１２と右大陰唇１４との間に位置する。なお、使用者の体の割合は、明示目的で添付図面では誇張して示している。従来の生理用パッド１８は、下着２０の股部分の内側３０と、大陰唇１２，１４との間に配設される。ここで“股”部分なる用語は以下で、前部三角形股部分ならびに下着の底部の狭い細長ストラップ部分をいう。本発明は、ＧストリングおよびＴバック形状下着とともに、広い股部分を有する従来の標準サイズの女性下着パンティに適用できる。外陰部の裂け目１６に面する従来の生理用パッド１８の側面を符号２８で示す。従来の生理用パッド１８は下着２０の股部分の内側３０に付着される。下着２０の左弾性部分３２とその右弾性部分３４は、従来、下着２０の股部分を、対応して、大腿１１と１３に隣接して、左大陰唇１２と右大陰唇１４に密接させる。




【国際調査報告】
2004520085.tif 000035